(57)【要約】【課題】停電が発生した事態をより早期に検出することができ、停電による各種センサの電圧降下を正常な検出にもとづく電圧変化であると誤認することのない遊技機を提供する。【解決手段】電源基板においてＤＣ２４Ｖラインの電圧を監視している電圧監視部が、ＤＣ２４Ｖラインの電圧が１８Ｖ以下になることをもって停電と判断し、信号生成部において停電信号を生成し、メイン制御基板２１へ送信するように構成した。したがって、ＤＣ１２Ｖラインに接続されている検出スイッチの電圧が変化する前に、メイン制御基板へ確実に停電信号を送信することができる。そのため、メイン制御基板が停電による電圧の降下を検出スイッチによる検出動作として誤認することを防止することができる。【選択図】図５
2011115268.tif 000002
【特許請求の範囲】
【請求項１】
ＤＣ２４Ｖの第１電源ラインと、
ＤＣ１２Ｖの第２電源ラインと、
前記第２電源ラインに接続された検出スイッチと、
遊技の主たる動作を実行するとともに、前記検出スイッチの電圧変化を監視し、その監視結果にもとづいて所定の制御を実行する制御部と
を備えた遊技機であって、
前記ＤＣ２４Ｖの電源電圧及び前記ＤＣ１２Ｖの電源電圧を生成する電圧生成部と、
前記第１電源ラインの電圧を監視し、当該第１電源ラインの電圧が１８Ｖ以上２１．６Ｖ以下の所定電圧を下回ると停電信号を生成させる電圧監視部と、
前記停電信号を生成するとともに、生成した前記停電信号を前記制御部へ送信する信号生成部と
を備えた電源基板を設けるとともに、
前記制御部は、前記停電信号を受信すると、その時点での前記遊技の主たる動作の動作状態をバックアップすることを特徴とする遊技機。
【請求項２】
前記電圧監視部は、前記第１電源ラインに接続されたダイオードのアノード側において電圧を監視することを特徴とする請求項１に記載の遊技機。
【発明の詳細な説明】
【技術分野】
【０００１】
本発明は、電源基板において交流電圧から複数種類の直流電圧を生成し、各種制御基板や部材へ供給するパチンコ機等といった遊技機に関するものである。
【背景技術】
【０００２】
従来、一般的なパチンコ機としては、たとえば遊技球がチューリップ式電動役物へ入賞すると、メイン制御基板において所謂抽選を行い、当該抽選の結果が「大当たり」であると、図柄表示部において特別図柄を所定時間にわたり変動表示した後、所定の「大当たり図柄（たとえば、７、７、７）」を確定表示し、大入賞装置を所定回数に亘って断続的に開成させる大当たり状態を生起させるものがある。そして、当該パチンコ機には、商業電源から供給される商業電源（ＡＣ１００Ｖ）をトランスで変圧した交流電源（ＡＣ２４Ｖ）をもとに、様々な直流電圧（たとえば、ＤＣ２４ＶやＤＣ１２Ｖ）を生成し、この直流電圧をメイン制御基板やチューリップ式電動役物、及びメイン制御基板に監視される各種センサ等に供給するための電源基板が設けられている。
【０００３】
また、上述したようなパチンコ機においては、遊技中に停電が発生した場合にメイン制御基板が制御する抽選結果や遊技状態等に係る情報を保持すべく、電源基板において電圧降下を検出するとメイン制御基板へ停電信号を送信し、メイン制御基板において停電信号の受信時の動作状態（すなわち、抽選結果や遊技状態等に係る情報）をバックアップさせるといった所謂バックアップ機能が備えられている（たとえば特許文献１）。
【０００４】
以上のようなパチンコ機の一実施形態として、電源基板で生成するＤＣ２４Ｖの電源ラインにおける電源電圧を監視し、当該電源ラインの電圧が１６Ｖ以下になると、停電信号を作成して送信するものがある。また、当該パチンコ機では、各種センサ（たとえば、上記チューリップ式電動役物への遊技球の入賞検出センサや、電波妨害を検出する電波妨害検出センサ）をＤＣ１２Ｖの電源ラインに接続しており、メイン制御基板は、各種センサの電圧変化を監視し、その監視結果にもとづいて種々の動作を実行する（たとえば抽選を実行したり、異常報知動作を実行する）ようになっている。
【先行技術文献】
【特許文献】
【０００５】
【特許文献１】特開２００１−１９８２７４号公報
【発明の概要】
【発明が解決しようとする課題】
【０００６】
しかしながら、上記実施形態におけるパチンコ機では、停電等が発生した際、ＤＣ２４Ｖの電源ラインの電源電圧が１６Ｖ以下に降下するより先にＤＣ１２Ｖの電源ラインの電源電圧が降下し始める、すなわち電源基板において停電信号が作成される前に、各種センサの電圧が降下する（変化する）ことがある。すると、メイン制御基板は、当該電圧降下を各種センサの正常な検出動作によるものと誤認し、バックアップしてしまう。したがって、停電の解除をもってパチンコ機を立ち上げた際に、たとえば停電直前に不正行為があったとしてスピーカから異常報知音を報音したり、遊技球が入賞していないにも拘わらず入賞ありとして抽選を実行したりしてしまうという問題が生じる。
【０００７】
そこで、本発明は、上記問題に鑑みなされたものであって、停電が発生した事態をより早期に検出することができ、停電による各種センサの電圧降下を正常な検出にもとづく電圧変化であると誤認することのない遊技機を提供しようとするものである。
【課題を解決するための手段】
【０００８】
上記目的を達成するために、本発明のうち請求項１に記載の発明は、ＤＣ２４Ｖの第１電源ラインと、ＤＣ１２Ｖの第２電源ラインと、前記第２電源ラインに接続された検出スイッチと、遊技の主たる動作を実行するとともに、前記検出スイッチの電圧変化を監視し、その監視結果にもとづいて所定の制御を実行する制御部とを備えた遊技機であって、前記ＤＣ２４Ｖの電源電圧及び前記ＤＣ１２Ｖの電源電圧を生成する電圧生成部と、前記第１電源ラインの電圧を監視し、当該第１電源ラインの電圧が１８Ｖ以上２１．６Ｖ以下の所定電圧を下回ると停電信号を生成させる電圧監視部と、前記停電信号を生成するとともに、生成した前記停電信号を前記制御部へ送信する信号生成部とを備えた電源基板を設けるとともに、前記制御部は、前記停電信号を受信すると、その時点での前記遊技の主たる動作の動作状態をバックアップすることを特徴とする。
請求項２に記載の発明は、請求項１に記載の発明において、前記電圧監視部は、前記第１電源ラインに接続されたダイオードのアノード側において電圧を監視することを特徴とする。
【発明の効果】
【０００９】
本発明によれば、電源基板においてＤＣ２４Ｖの電源ラインの電圧を監視している電圧監視部が、ＤＣ２４Ｖの電源ラインの電圧が１８Ｖ以上２１．６Ｖ以下の所定電圧を下回ることをもって停電と判断するため、ＤＣ１２Ｖの電源ラインに接続されている検出スイッチの電圧が変化する前に、制御部へ確実に停電信号を送信することができる。したがって、制御部が、停電による電圧の降下（電圧の変化）を検出スイッチの正常動作として誤認することを防止することができる。
また、停電と判断する所定電圧を１８Ｖ以上２１．６Ｖ以下に設定しているため、たとえば遊技店の島設備において他の多数の遊技機が大当たり状態となり、大当たり状態となっていない当該遊技機の電源基板へ供給される電源電圧が低下してしまうような場合に、停電発生と誤認することがないという効果もある。
さらに、請求項２に記載の発明によれば、電圧監視部が、第１電源ラインに接続されたダイオードのアノード側において電圧を監視するため、カソード側で監視する構成と比較して、より早期に電圧降下を検出することができる。したがって、検出スイッチの電圧が低下するよりも早い段階での停止信号の送信を、一層確実に実行することができる。
【図面の簡単な説明】
【００１０】
【図１】パチンコ機の正面側を示した説明図である。
【図２】パチンコ機の後面側を示した説明図である。
【図３】カバー部材の内部を示した説明図である。
【図４】パチンコ機の制御機構を示したブロック構成説明図である。
【図５】電源基板の回路図である。
【図６】停電時の制御を示したタイムチャート図である。
【発明を実施するための形態】
【００１１】
以下、本発明の一実施形態となるパチンコ機について、図面にもとづき詳細に説明する。
【００１２】
（パチンコ機の説明）
図１は、パチンコ機１を正面側から示した説明図である。また、図２は、パチンコ機１を後面側から示した説明図であり、図３は、カバー部材５１の内部を示した説明図である。さらに、図４は、パチンコ機１の制御機構を示したブロック構成図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１３】
当該遊技領域２ａは、遊技盤２の前面に円弧状に配設された外レール及び内レール等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、遊技球が通過可能なゲート部材４１、一対の爪片を開閉動作可能に備えたチューリップ式電動役物１７、開閉可能な扉部材を有する大入賞装置１８、多数の遊技釘４２、４２・・や風車４３等が設置されている。
【００１４】
また、機枠３の前面側であって上記遊技盤２の下方には、遊技球を発射装置１０へ供給するための供給皿７、及び供給皿７から溢れた遊技球を貯留するための貯留皿８が取り付けられており、どちらもミドル枠５の開放等に伴い機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置６４、及び各制御基板や装置・部材に電源電圧を供給するための電源基板３１（図４に示す）を収納した電源装置５２等が設置されている。また、５１は、合成樹脂製のカバー部材であって、当該カバー部材５１の内部には、図柄表示部６に「図柄」を表示させるための液晶表示装置（図示せず）、遊技に係る主たる制御（たとえば、所謂「大当たり抽選」等）を実行するためのメイン制御基板２１（図４に示す）を収納したメイン制御装置２０、図柄表示部６における表示動作等を制御する表示制御装置６３、及び払出装置１２や表示制御装置６３、スピーカ１４やランプ部材１５等の動作を統合的に制御するサブ統合基板２３（図４に示す）を内蔵したサブ制御装置２２等が設置されている。尚、６１は、パチンコ機１をトランスに接続するためのプラグであり、６２は、アースである。
【００１６】
以上のようなパチンコ機１では、スイッチを入れる等して電源をＯＮすると、電源基板３１で交流電圧から複数の直流電圧（ここでは、ＤＣ２４Ｖ、ＤＣ１２Ｖ、及びＤＣ５Ｖ）が生成され、当該直流電圧が各種基板や装置・部材に供給されて、パチンコ機１が立ち上がる。その後、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１７】
（停電検出機能の説明）
次に、本発明の要部となる停電検出機能について説明する。
メイン制御基板２１は、メインＣＰＵ２５、ＲＯＭやＲＡＭからなるメイン記憶手段２６、インターフェイス２７、タイマ２８等を備えており、メインＣＰＵ２５において上述したような遊技に係る主たる制御や後述する異常検出制御、停電対策制御等を実行する。また、メインＣＰＵ２５は、インターフェイス２７を介してサブ統合基板２３のサブＣＰＵ（図示せず）と電気的に接続されており、遊技に係る主たる制御や異常検出制御に伴う各種指令をサブＣＰＵへ送信可能となっている。さらに、メインＣＰＵ２５には、インターフェイス２７を介して、パチンコ機１に電波妨害等の電波による不正が行われたことを検出するための電波検出スイッチ３６、及びチューリップ式電動役物１７や大入賞装置１８への遊技球の入賞を検出するための入賞検出スイッチ３８が接続されている。これらの検出スイッチ３６、３８はＤＣ１２Ｖラインに接続されており、メインＣＰＵ２５は、電波検出スイッチ３６の電圧の変化を検出すると電波妨害（不正行為）ありと判断し、入賞検出スイッチ３８の電圧の変化を検出すると入賞ありと判断する。尚、メインＣＰＵ２５は、チューリップ式電動役物１７や大入賞装置１８とも接続されており、抽選の結果等に応じてそれらの動作を制御するようになっている。また、メインＣＰＵ２５自体は、ＤＣ５Ｖラインに接続されており、ＤＣ５Ｖで動作する。
【００１８】
一方、メイン制御基板２１は、電源基板３１から電源電圧を供給されている。この電源基板３１は、商業電源（ＡＣ１００Ｖ）をトランス（図示せず）により変圧した交流電源（ＡＣ２４Ｖ）電圧からＤＣ１２ＶやＤＣ２４Ｖ等の各種直流電圧を生成する電圧生成部３２、及びメイン制御基板２１へ送信する停電信号等の各種信号を生成する信号生成部３３を備えているとともに、電圧生成部３２のＤＣ２４ＶラインＬ１の電圧を監視する電圧監視部３４を備えている。電圧監視部３４は、図５に示すように、ＤＣ２４ＶラインＬ１に接続されている一対のダイオードＤ２、Ｄ３のアノード側に７．５ｋΩの抵抗Ｒ５を接続してなる。そして、当該ＤＣ２４ＶラインＬ１の電圧が１８Ｖ以下になると、停電若しくは正常な手続きによる電源ＯＦＦ操作により商業電源からの電源の供給がＯＦＦされたと判断するように構成されている。尚、３５は、電源基板３１とメイン制御基板２１とを接続するためのインターフェイスである。
【００１９】
上記メイン制御基板２１及び電源基板３１を有するパチンコ機１では、電源スイッチをＯＮする等して電源がＯＮされると、電圧生成部３２においてＤＣ２４Ｖ、ＤＣ１２Ｖ、及びＤＣ５Ｖの電源電圧を生成し、メイン制御基板２１等へ電源電圧を供給するとともに、信号生成部３３において停電解除信号及びリセット解除信号を生成し、まず停電解除信号、次にリセット解除信号の順でメイン制御基板２１へ信号を送信する。そして、メイン制御基板２１では、停電解除信号を受信すると、前回の電源ＯＦＦに伴い立てられた停電フラグを解除し、リセット解除信号の受信に伴いメインＣＰＵ２５の動作をＯＮして、上記遊技に係る制御等の実行を開始する。また、各検出スイッチ３６、３８の電圧変化を監視し、チューリップ式電動役物１７に設けられた入賞検出スイッチ３８の電圧変化を検出すると、チューリップ式電動役物１７へ遊技球が入賞したと判断して、所謂抽選等を行う。また、電波検出スイッチ３６の電圧変化を検出すると、パチンコ機１に対して電波妨害がなされているとして、たとえばスピーカ１４から異常報知音を報音させたり、ランプ部材１５を点滅させるといった異常報知動作を実行させる。尚、異常の報知に係り、メインＣＰＵ２５は、サブ統合基板２３を介してスピーカ１４やランプ部材１５の動作を制御する。すなわち、メインＣＰＵ２５は、電波検出スイッチ３６の電圧変化を検出するとサブ統合基板２３へ異常検出信号を送信し、異常報知に係るスピーカ１４やランプ部材１５の具体的動作については、サブ統合基板２３で制御することになる。
【００２０】
一方、上記の如くして電源ＯＮした後の遊技中に停電が生じると、電源基板３１において電圧が低下し始める。そして、電圧監視部３４は、ＤＣ２４ＶラインＬ１の電圧が１８Ｖ以下になると停電発生と判断し（正確には、停電による電源ＯＦＦであるのか、それとも通常の電源ＯＦＦ操作による電源ＯＦＦであるのかを区別してはいない）、信号生成部３３において停電信号及びリセット信号を生成させ、まず停電信号、次にリセット信号の順でメイン制御基板２１へ信号を送信する。メイン制御基板２１では、停電信号を受信すると、当該時点でのメインＣＰＵ２５の動作状態（たとえば大当たり状態中であるとか保留記憶している抽選結果の内容等）をメイン記憶手段２６にバックアップして停電フラグをＯＮした後、リセット信号の受信をもってメインＣＰＵ２５の動作をＯＦＦさせる。
その後、停電が解除となり再びパチンコ機１が電源ＯＮとなると、電源基板３１では、上記同様に停電解除信号及びリセット解除信号を送信し、メイン制御基板２１では、停電フラグをＯＦＦした後、バックアップされている動作状態から遊技を続行する。尚、たとえば閉店等における通常の電源ＯＦＦ操作による電源ＯＦＦ時にも、上記停電時と同様に、電源基板３１はＤＣ２４ＶラインＬ１の電圧が１８Ｖ以下になることをもって停電信号やリセット信号をメイン制御基板２１へ送信する。そして、パチンコ機１が既に遊技が行われていない待機状態にあるものの、停電信号を受信した時点における動作状態（たとえば低確率状態である旨等）をバックアップする。
【００２１】
ここで、当該停電時の上記制御における従来と本発明との相違を図６のタイムチャートをもとに説明する。
従来では、電源基板３１における電圧の低下に伴い、電圧監視部３４は、ＤＣ２４ＶラインＬ１の電圧が１６Ｖ以下になるＴ２のタイミングで停電信号を生成し送信していた。しかしながら、Ｔ２のタイミングで停電信号を生成し送信するのでは、図６（ｂ）に示す如く停電信号を送信する前にＤＣ１２Ｖラインの電圧（すなわち、各種検出スイッチ３６、３８の電圧）が低下し始めてしまう。したがって、メインＣＰＵ２５は、停電による電圧降下であるにも拘わらず、各種検出スイッチ３６の電圧降下を正常な検出に伴う電圧変化である（たとえば電波妨害あり）と誤認し、停電信号の受信をもって当該誤認をバックアップしてしまい、次回起動時に誤認に係る動作（たとえば不正検出に伴う異常報知動作）を実行してしまう。
一方、本発明によれば、電圧監視部３４は、ＤＣ２４ＶラインＬ１の電圧が１８Ｖ以下になるＴ１のタイミングで停電信号を生成し送信する。また、ＤＣ２４ＶラインＬ１に接続されているダイオードＤ２、Ｄ３のアノード側、すなわちダイオードＤ２、Ｄ３のカソード側よりも電圧の降下が早期に現れるアノード側で電圧を監視している。したがって、図６（ａ）に示す如く、ＤＣ１２Ｖラインの電圧が低下し始めるよりも確実に早いタイミングで停電信号をメイン制御基板２１へ送信することができるのである。
【００２２】
（本実施形態による効果）
以上のように構成されるパチンコ機１によれば、電源基板３１においてＤＣ２４ＶラインＬ１の電圧を監視している電圧監視部３４が、ＤＣ２４ＶラインＬ１の電圧が１８Ｖ以下になることをもって停電と判断し、信号生成部３３において停電信号を生成し、メイン制御基板２１へ停電信号を送信する。したがって、ＤＣ１２Ｖラインに接続されている各種検出スイッチ３６、３８の電圧が変化する前に、メイン制御基板２１へ確実に停電信号を送信することができる。そのため、メイン制御基板２１が、停電による電圧の降下（電圧の変化）を検出スイッチ３６、３８の正常動作として誤認することがなく、たとえば復帰後に異常報知動作が実行されたりするおそれがない。
【００２３】
また、ＤＣ２４ＶラインＬ１の電圧を監視するに際し、ＤＣ２４ＶラインＬ１に接続されているダイオードＤ２、Ｄ３のアノード側で電圧を監視するため、カソード側で監視する構成と比較して、より早期に電圧降下を検出することができる。したがって、検出スイッチ３６、３８の電圧が降下するよりも早い段階での停止信号の送信を、一層確実に実行することができる。
【００２４】
（本発明の変更例）
なお、本発明の遊技機に係る構成は、上記実施形態に何ら限定されるものではなく、停電検出に係る構成や遊技機本体の構成について、本発明の趣旨を逸脱しない範囲で必要に応じて適宜変更可能である。
【００２５】
たとえば、上記実施形態では、ＤＣ２４ＶラインＬ１の電圧が１８Ｖ以下になることをもって停電が発生したと判断しているが、当該判断ラインは１８Ｖ以上２１．６Ｖ以下の間で適宜設定変更可能である。と言うのも、一般的に遊技店の島設備では同じトランスに複数の遊技機を設置しており、そのうちの複数が大当たり状態等になると、その他の遊技機の電源基板へ供給される電源電圧が低下することがある。そこで、停電と判断する電圧の上限を２１．６Ｖとすることにより、上記事態を停電発生と誤認することがないという効果がある。
また、上記実施形態では電波検出スイッチ３６及び入賞検出スイッチ３８を備えたパチンコ機１としているが、他の検出スイッチ（たとえばパチンコ機１が強く揺すられる不正行為を検出する振動検出スイッチや磁石を用いた不正行為を検出する磁気検出スイッチ）を備えても何ら問題はない。
さらに、本発明をパチンコ機以外の遊技機（たとえばスロットマシーン）に適用可能であることは言うまでもない。
【符号の説明】
【００２６】
１・・パチンコ機、２０・・メイン制御装置、２１・・メイン制御基板（制御部）、２５・・メインＣＰＵ、２６・・メイン記憶手段、３１・・電源基板、３２・・電圧生成部、３３・・信号生成部、３４・・電圧監視部、３６・・電波検出スイッチ、３８・・入賞検出スイッチ。
【図１】
2011115268.tif 000003
【図２】
2011115268.tif 000004
【図３】
2011115268.tif 000005
【図４】
2011115268.tif 000006
【図５】
2011115268.tif 000007
【図６】
2011115268.tif 000008